(57)【要約】      （修正有）【課題】手指で数えにくく、計数誤りを生じ易い１円硬貨をはじめ全６種類の硬貨を確実に計数できる硬貨計数器を提供する。【解決手段】略円筒を直径部分にて半分とする半円形状の筒を硬貨の収容部１とし、１円硬貨より５００円硬貨まで直径の異なる各種硬貨を安定的に収容する。収容部１の開口部両サイドに設けた平板２の表面に、厚さの異なる硬貨群に対応した目盛り線をそれぞれの硬貨厚さごとに、又金種別に着色して施し、収容部１に収容した硬貨の金種、枚数の目視計数の手段として硬貨計数器を構成する。【選択図】図１
0003163345.tif 000002
【実用新案登録請求の範囲】
【請求項１】
本案は、  ・略円筒を直径部分にて縦断して半円筒形状となったものを収容部（１）とし、  ・収容部（１）の長さ方向両端は、側板（４，５）にて接着固定し、  ・該側板（４、５）には上辺中央付近より縦方向に中心付近まで、１円硬貨程度幅の切り込みを穿ち、  ・該収容部（１）の横断面形状は図２にて示す如く１円硬貨と略同径の底部幅から開口方向に向かって漸増し直径が１円硬貨より大きな硬貨であっても安定して収容可能になる末広がり形状をなし、  ・収容部（１）の上部開口部両サイドには、表面にそれぞれ異なった色に着色した目盛り線を施した平板（２）を、収容部（１）全長に亘って設け、      ・側板（４）の縦長を側板（５）の縦長より長くするように構成することを特徴とする硬貨計数器。
【請求項２】
収容部（１）を図４の如く２列とすることを特徴とする請求項１に記載の硬貨計数器。
【考案の詳細な説明】
【考案の詳細な説明】
【技術分野】
【０００１】  本考案は、硬貨の計数器に係るもので、硬貨の計数が家庭にて、あたかも計量カップにて米を、調味料を計量する感覚で簡単に行える計硬貨計数器に関するものである。
【背景技術】
【０００２】  従来、硬貨計数器としては、所定数等配列の円孔部７を貫通した上位の盤体２、円形凸部８をもつ下位の盤体３を所定の間隔に制御するガイド枠４にて構成した計数盤１を、傾斜しない、傾斜することによって計数、回収の機能を備えたものや、内側に目盛りと数字を表示した透明な円筒形の硬貨収納部１とその一方に設けた案内溝２と硬貨投入受け口３とで構成した硬貨計数器具であって、計数しようとする硬貨を硬貨投入受け口３より案内溝２に投入し、構成した押圧部５、５’等を使用して、硬貨収納部１の内側に表示した目盛りによって計数を目視する硬貨収納部１等が知られている（例えば、特開平６−１３９４３７号公報及び実開平６−７５０６８号公報参照）。
【考案が解決しようとする課題】
【０００３】  従来の技術で述べたものについては、いずれの硬貨計数器も精密な機構部等を具備していて当然価格もそれなりに高価にならざるを得ない。本考案はこれらの機構部分を無くし、手指のみで簡単に計数ができる計数器への改造を目指し、日本硬貨６種類のうちもっとも小形軽量であるため手指で数えにくく、計数誤りを生じ易い１円硬貨を確実に計数できることを主眼に又他５種類の硬貨の計数も可能となるような硬貨計数器を提供しようとするものである。
【課題を解決するための手段】
【０００４】  上記目的を達成するために、本考案の硬貨計数器は、その全体的な形状において図１にて示すように、硬貨を重ね合わせて収納する収納部１を基体とし構成し、収納部（１）の長さ方向の両端部をそれぞれ側板（４、５）にて接着挟持して１体形とし、同じく収納部（１）の半分に切断した幅の左右両サイドに設けた平板（２）によって収納部（１）の全長に亘り支持する。
【０００５】  上記収納部（１）の長さは、あらかじめ定めた硬貨枚数を収容する長さであってその断面は図２において図示するように、その幅は凹部の底まで届く１円硬貨の直径と略等しく、底部より開口方向に向かって漸増し、１円硬貨の直径より大きな硬貨であっても収納可能な末広がり状の側面形状を成す。
【０００６】  収容部１の両サイドに設けた平板（２）の上面には目盛り線を施し、収容部（１）に収容して計数する硬貨の目視計測が容易にできるようにする。  しかし、収容部１には同じ厚さと同じ種類の重ね合わせた複数の硬貨集合体（以下、硬貨群とする。）と他の硬貨群とを別々に収容して計測する場合もあり、平板（２）の表面の目盛り線は厚さの異なる硬貨群ごとに施すため、目盛り線が複数の線表示となって硬貨群別の識別が困難となる。このため、硬貨群別に目盛り線の色別管理を行い、目盛り線をそれぞれの異なった硬貨群別に対応する色線を施す。
【０００７】  収納部１に収容する硬貨の収容始端位置が不定では計数に誤差が生ずる。いずれか片方の側板に軽く圧接するよう硬貨計数器本体に傾斜を与えれば、硬貨の収容始端位置が定まり、計数誤差は生じない。図３の正面図で示すように側板４の上下長さは、側板５より長くし、長くした部分は硬貨計数器本体の下部に突き出させて本体の傾斜を保持する。
【０００８】  側板４及び側板５の上辺中央付近に１円硬貨の直径程度の凹み（３）を側板（４，５）それぞれの縦方向に中心付近深さまで穿ち、定めた枚数となった硬貨群をこの凹み（３）より指を入れ挟持して取り出す。
【０００９】  ※参考  ６種類である日本硬貨を厚き別に分類すれば次のように４種類に分類できる。    第１分類（１．３ｍｍ厚）…    １０円硬貨    第２分類（１．５ｍｍ厚）…    １円、５円、５０円硬貨    第３分類（１．７ｍｍ厚）…    １００円硬貨    第４分類（２．０ｍｍ厚）…    ５００円硬貨  ４分類及び金種類ごとに１個の硬貨群とし、硬貨計数器にて計数する場合、平面（２）の表面に施す目視計数用目盛り線は、上記分類別の長さにもとずく。
【考案を実施するための形態】
【００１０】  本考案の実施形態について、図面を参照して説明する。  図１に本考案の硬貨計数器の斜視図を示す。収容部（１）内の全長に複数の同一硬貨を収容する場合、収容部（１）の上端の両サイドに設けてある平板（２）の表面に、計数始端硬貨の位置を基点として計数を初め、１０個目或いは２０個目更には３０個目等と目視計数を安易にするための目盛り線を施すことによって収容した硬貨の数を目視確認することができる。硬貨が端数の場合にも目盛り線の目視にて計数が容易である。
【００１１】  前記の目盛り線は、金種別の硬貨群個々に対応して設けるため、平板（２）の表面には複数の目盛り線が設けられることになり、金種別に対応する目盛り線を特定する場合に混乱を生ずる。このため硬貨の厚さ別に目盛り線を識別できるように、あらかじめ硬貨計数器本体のいずれかに識別管理の定義付けを表示しておく。例えば１．３ｍｍ厚の硬貨を計数する場合であれば赤色の目盛り線をその計量線とし、１．５ｍｍ厚の硬貨の場合であれば黒色の目盛り線を、１．７ｍｍ厚の硬貨の場合であれば緑色の目盛り線を枚数計数用の計量線とすれば、金種別に対応する目盛り線を見間違えて混乱を生ずるようなことは回避できる。
【００１２】  収容部（１）の断面（ａ−ａ’）を図２において示し、硬貨の収容状況を説明すれば、斜線で表示した収容部（１）にはその底部にまで、硬貨の直径が最小である１円硬貨が挿入可能となり、この状態で収容部（１）の長さ方向に複数の１円硬貨が収容される。図２の（Ｂ）参照。  同図２の（Ａ）は、最大径の５００円硬貨が収容部（１）に収容されている状況の説明図であり、５００円硬貨の円周は収容部（１）の底部から浮き上がっているが収容部（１）に収容した形態は金種によって多少の差はあれ同様な状況となって収容位置に安定収容できる。収容部（１）の凹部形である断面幅は底部より上方に向かうに従って漸増する傾斜は、１円硬貨より直径の大な硬貨の金種の場合であっても、安定して収容部（１）に収容できる形態である。。
【００１３】  図５にて示した参考図は、側板（４，５）に設けた凹み（３）に、手指を側板（４，５）それぞれの外側から入れて、収容部（１）内に収容して計数した１連の硬貨群を挟持して取り出すためのものであってその様子を図指したものである。
【００１４】  本考案の硬貨計数器は図１にて示すように硬貨の収容枚数が限られ、まとまった数の硬貨を計数する場合、何度も計数しなければならない場合もある。このような場合には、収容部分を図４のように２列構成にすれば、計数操作は省略される。更に３列構成、４列構成とすればより以上小数回操作にて時間短縮が計れるる。
【考案の効果】
【００１５】  本考案は、上記のように考案されているので、次のごとき効果がある。
【００１６】  簡単計数器の作成を目的として、従来の計数器のような機構部分を使用せず又電気等のエネルギー源をも必要とせず、軽量小型調味料或いは米の計量カップを使用するような安直さで硬貨の計数ができる。
【００１７】  従来、計数器なしで手指を使って硬貨を数えるとき、テーブルの上などに１０枚単位、２０枚単位等に積み上げ、別の積み上げ硬貨が同じ高さになるように指先又は目視で確認しながらいくつもの硬貨の塔を並べて計数していたが、目測を誤って誤差があったり、特に１円硬貨は小径で軽量のため取り扱いに困難が伴っていたが本考案の硬貨計数器であれば簡単に短時間に確実に計数ができる。
【図面の簡単な説明】
【図１】本考案の硬貨計数器の斜視図である。
【図２】収容部の断面図であり（Ａ）：５００円硬貨収容形態図である。（Ｂ）：１円硬貨収容形態図である。
【図３】硬貨計数器の６面体図である。
【図４】収容部が２列構成である硬貨計数器である。
【図５】計数済みの硬貨群を凹みを利用してつまみ出す参考図である。
【符号の説明】１          収容部２          平板３          凹み４          側板５          側板ａ−ａ’    収容部の断面位置
【図１】
0003163345.tif 000003
【図２】
0003163345.tif 000004
【図３】
0003163345.tif 000005
【図４】
0003163345.tif 000006
【図５】
0003163345.tif 000007
【手続補正書】
【提出日】平成22年4月12日(2010.4.12)
【手続補正１】
【補正対象書類名】実用新案登録請求の範囲
【補正対象項目名】全文
【補正方法】変更
【補正の内容】
【実用新案登録請求の範囲】
【請求項１】
１種類の硬貨を収納部１に整列して並べ、前記収納部１に硬貨を１００％収納した場合、予め定められた単位枚数となる構造の硬貨計数器であって、前記収納部には硬貨の上半分を開放状態として収納するため１００％収納になったとき、収納部を裏返して収納硬貨を抛り出し落下させれば１００枚単位、３００枚等の単位に纏まった硬貨数として他容器に移し替えることが可能な硬貨計数器。
【請求項２】
前記収納部１は直径の異なる硬貨も、別途同様の計数方法にて計数可能となる収納部であり、該収納部の挿入口は最大硬貨直径を幅とし、収納硬貨枚数を長さとした矩形であって、その深さは最小の硬貨が収納部１の底部まで入り込んで、硬貨のほぼ全部分が収納部内の底部幅一杯に余裕なく収納されるが（Ｂ）、最小硬貨の幅を超える硬貨を収納する際は収納部の底部位置にまで到達できず、浮き上がった状態で収納されるが（Ａ）、安定して収納できるように収納部１の幅は下部に向かって減少することを特徴とする請求項１に記載の硬貨計数器。
【手続補正書】
【提出日】平成22年7月12日(2010.7.12)
【手続補正１】
【補正対象書類名】実用新案登録請求の範囲
【補正対象項目名】全文
【補正方法】変更
【補正の内容】
【実用新案登録請求の範囲】
【請求項１】
１種類の硬貨を収納部１に整列して並べ、前記収納部１に硬貨を１００％収納した場合、予め定められた単位枚数となる構造の硬貨計数器であって、前記収納部１には硬貨の上半分を開放状態として収納するため１００％収納となったとき、収納部を裏返して収納硬貨を抛り出し落下させれば１００枚、３００枚等の単位に纏まった硬貨数として他容器に移し替えることが可能な硬貨計数器。
【請求項２】
収納部１は、直径及び厚さの異なる硬貨を、金種別に収納し計測する場合において、同一形状の収納部１にて収容及び計測が可能となるように、収納部１の内部面すなわち被計測硬貨の外周が当たる面は、全種類の金種別硬貨の収容に適応するため不規則な曲面形状となることを特徴とする請求項１に記載の硬貨計測器。